(57)【要約】【課題】  粉砕機で粉砕された農産物の残渣や樹枝等の粉砕物を容易に且つ確実に回収することができるとともに、埃や塵の拡散を確実に防止できるようにした粉砕機の排出口装着フードを得る。【解決手段】  粉砕機２の排出口３に装着されるフード１であって、箱状に形成されたフード本体６に、粉砕機２の排出口３に接続される接続口部７と、排出口３からフード本体６内に排出された粉砕物Ａを回収する回収袋８を装着する回収袋装着口９を設け、粉砕機２の排出口３にフード本体６の接続口部７を接続し、フード本体６の回収袋装着口９に回収袋８を装着することにより、粉砕物Ａの外部への飛散を防止し、回収袋装着口９から回収袋８へ回収し、粉砕物Ａから発生する埃や塵の外部への拡散を防止することができるようにした。【選択図】    図６
2015182059.tif 000002
【特許請求の範囲】
【請求項１】
農産物の残渣や樹枝等の残渣を粉砕し粉砕物を排出口から排出する粉砕機の前記排出口に装着されるフードであって、
箱状に形成されたフード本体に、前記粉砕機の前記排出口に接続される接続口部と、前記排出口から前記フード本体内に排出された粉砕物を回収する回収袋を装着する回収袋装着口が設けられていることを特徴とする粉砕機の排出口装着用フード。
【請求項２】
前記回収袋取付口は、外周に回収袋の口部を装着する筒状に形成され、その開口端周縁には外側へ突出する掛止部が設けられていることを特徴とする請求項１に記載の粉砕機の排出口装着用フード。
【請求項３】
前記フード本体に排気口が設けられていることを特徴とする請求項１または２のいずれか１項に記載の粉砕機の排出口装着用フード。
【請求項４】
前記排気口にはフィルタが取り付けられていることを特徴とする請求項３に記載の粉砕機の排出口装着用フード。
【発明の詳細な説明】
【技術分野】
【０００１】
本発明は、農産物の残渣や樹枝等を粉砕し粉砕物を排出口から排出する粉砕機の前記排出口に装着されるフードに関するものである。
【背景技術】
【０００２】
農産物の残渣や樹枝等は、一般に粉砕機で粉砕されて飼料や堆肥として使用され或いは廃棄され、また近年ではバイオマスとしてエネルギー資源として使用されている。従来、農産物の残渣や樹枝等の被粉砕物の粉砕に使用されている粉砕機としては、一般に被粉砕物を粉砕するカッターと、粉砕物を排出するコンベアやファンといった排出機構を備えており、カッターで粉砕した粉砕物を排出機構により排出口から外部へ排出する構成となっている（例えば、特許文献１参照。）。
【０００３】
このように構成された粉砕機の多くは屋外で使用されることを念頭に設計・製造され開放型の装置となっており、粉砕物や、粉砕により生じる埃や塵等を所定方向へ誘導するガイドが備えられているものもあるが、粉砕物の飛散を抑え、且つ埃や塵の拡散を防止できるような構成にはなっていない。
【先行技術文献】
【特許文献】
【０００４】
【特許文献１】特開２０１２−１１３３４号公報
【発明の概要】
【発明が解決しようとする課題】
【０００５】
近年、高度で計画性の高い施設栽培を目指した植物工場といわれる農業施設が出現してきている。施設で栽培された農産物の残渣は、施設内で粉砕処理し回収処分することが望まれるが、従来使用されている粉砕機は、開放型であり、粉砕物の飛散を抑え、且つ埃や塵の拡散を防止できるような構成にはなっていないので、施設内で使用すると、被粉砕物の粉砕によって発生する埃や塵が施設内に拡散し、作業環境の悪化や作物への影響が懸念され、施設といった屋内での使用には適さないといった問題がある。
【０００６】
本発明の目的は、粉砕機で粉砕された農産物の残渣や樹枝等の粉砕物を容易に且つ確実に回収することができるとともに、埃や塵の拡散を確実に防止できるようにした粉砕機の排出口装着フードを提供することにある。
【課題を解決するための手段】
【０００７】
上記の目的を達成するために、請求項１に記載の発明は、農産物の残渣や樹枝等の残渣を粉砕し粉砕物を排出口から排出する粉砕機の前記排出口に装着されるフードであって、箱状に形成されたフード本体に、前記粉砕機の前記排出口に接続される接続口部と、前記排出口から前記フード本体内に排出された粉砕物を回収する回収袋を装着する回収袋装着口が設けられていることを特徴とする。
【０００８】
請求項２に記載の発明は、請求項１に記載の、前記回収袋取付口は、外周に回収袋の口部を装着する筒状に形成され、その開口端周縁には外側へ突出する掛止部が設けられていることを特徴とする。
【０００９】
請求項３に記載の発明は、請求項１または２のいずれか１項に記載の、前記フード本体に排気口が設けられていることを特徴とする。
【００１０】
請求項４に記載の発明は、請求項３に記載の、前記排気口にはフィルタが取り付けられていることを特徴とする。
【発明の効果】
【００１１】
請求項１に記載の粉砕機の排出口装着フードによれば、箱状に形成された前記フード本体に、前記粉砕機の排出口に接続される接続口部と、前記排出口から前記フード本体内に排出された粉砕物を回収する回収袋を装着する回収袋装着口が設けられているので、前記粉砕機の排出口に前記フード本体の接続口部を接続し、前記フード本体の回収袋装着口に回収袋を装着することにより、前記粉砕機で粉砕されて前記排出口から前記フード本体内に排出された粉砕物は前記フード本体によって外部への飛散を防止し、前記フード本体の回収袋装着口から回収袋へ容易に且つ確実に回収することができ、また、前記フード本体によって粉砕物から発生する埃や塵の外部への拡散を確実に防止することができる。
【００１２】
請求項２に記載の粉砕機の排出口装着フードによれば、請求項１に記載の、前記回収袋取付口は、外周に回収袋の口部を装着する筒状に形成され、その開口端周縁には外側へ突出する掛止部が設けられているので、前記回収袋取付口への前記回収袋の装着に際し、前記回収袋取付口に装着する前記回収袋の口部を前記掛止部の上方まで挿入し、前記掛止部の上方で前記回収袋の口部を前記回収袋取付口に適宜締結手段により締結することにより、回収した粉砕物の重量等による前記回収袋取付口からの前記回収袋の外れを確実に防止することができる。
【００１３】
請求項３に記載の粉砕機の排出口装着フードによれば、請求項１または２のいずれか１項に記載の、前記フード本体に排気口が設けられているので、前記粉砕機の排出口から前記フード本体に送り込まれる空気や、粉砕物を回収する前記回収袋から逆流する空気を前記排気口から前記フード本体外へ排気することができ、粉砕物の前記回収袋への回収を一層容易に且つ確実に行うことができる。
【００１４】
請求項４に記載の粉砕機の排出口装着フードによれば、請求項３に記載の、前記排気口にはフィルタが取り付けられているので、排気口から排気される空気に含まれる埃や塵をフィルタで除去することができ、屋内での粉砕作業における安全面や衛生面の向上を図ることができる。
【図面の簡単な説明】
【００１５】
【図１】本発明に係る排出口装着フードを排出口に装着した粉砕機の一例を示す概略断面構成説明図である。
【図２】本発明に係る排出口装着フードの実施の形態の一例を示す斜視図である。
【図３】排気口を示す拡大断面図である。
【図４】回収袋取付口に回収袋を装着した状態を示す説明図である。
【図５】本例の排出口装着フードを粉砕機に排出口に装着する状態を示す説明図である。
【図６】粉砕機で粉砕された粉砕物を本例の排出口装着フードで回収袋に回収する状態を示す説明図である。
【発明を実施するための形態】
【００１６】
以下、本発明に係る粉砕機の排出口装着フードの実施の形態の一例を、図面を参照して詳細に説明する。
図１は本例の排出口装着フードを排出口に装着した粉砕機の一例を示す概略断面構成説明図、図２は本例の排出口装着フードを示す斜視図、図３は排気口を示す拡大断面図、図４は回収袋取付口に回収袋を装着した状態を示す説明図、図５は本例の排出口装着フードを粉砕機に排出口に装着する状態を示す説明図、図６は粉砕機で粉砕された粉砕物を本例の排出口装着フードで回収袋に回収する状態を示す説明図である。
【００１７】
本例の排出口装着フード１は、農産物の残渣や樹枝等の被粉砕物を粉砕する粉砕機２の排出口３に着脱可能に装着される。粉砕機２にあっては、粉砕物を排出する筒状の排出口を備えていれば、特に限定されない。４は被粉砕物投入口、５は被粉砕物を粉砕するカッターである。
【００１８】
本例の排出口装着フード１は、箱状に形成されたフード本体６に、粉砕機２の排出口３に接続される接続口部７と、排出口３からフード本体６内に排出された粉砕物Ａを回収する回収袋８を装着する回収袋装着口９が設けられている。
【００１９】
接続口部７にあっては、排出口３と概ね同径の筒状に形成され、排出口３の外周に嵌合可能な筒状となっている。そして、排出口３の外周に嵌合した接続口部７は固定手段１０により排出口３接続固定できるようになっている。
固定手段１０として、本例では、排出口３の筒壁及び接続口部７の筒壁に、排出口３に接続口部７を嵌合した時に一致するねじ穴１１，１２を形成しておき、このねじ穴１１，１２に蝶ボルト１３を螺合して固定しているが、これに限定されない。
また、接続口部７の内周面には、排出口３との間をシールするシール材１４が設けられている。本例では、シール材１４として不織布やスポンジ等の弾性発泡シートが使用されるが、これに限定されない。
【００２０】
また、回収袋装着口９にあっては、本例では、フード本体６の下壁に開口し、外周に回収袋８の口部８ａを装着する筒状に形成されている。筒状に形成された回収袋装着口９の開口端周縁には、外側へ突出する掛止部１４が設けられている。本例では、開口端周縁を外側へ折り返して折り返し片を形成し、この折り返し片を掛止部１４としているが、これに限定されない。
【００２１】
また、本例では、フード本体６に、粉砕機２の排出口３からフード本体６に送り込まれる空気や粉砕物Ａを回収する回収袋８から逆流する空気をフード本体６外へ排気するための排気口１５が設けられている。フード本体６における排気口１５を設ける箇所にあっては特に限定されるものではなく、また、複数箇所に設けられていてもよい。また、排気口１５にはフィルタ１６が設けられている。フィルタ１６にあっては公知のフィルタが使用される。
【００２２】
このように構成された排出口装着フード１は、次のようにして使用される。
フード本体６に設けられている接続口部７を粉砕機２の排出口３に嵌合し、排出口３の筒壁及び接続口部７の筒壁に形成されているねじ穴１１，１２を一致させ、ねじ穴１１，１２に蝶ボルト１３を螺合して接続口部７を粉砕機２の排出口３に接続固定する。
そして、フード本体６に設けられている回収袋装着口９の外周に回収袋８の口部８ａを、収袋装着口９の開口端周縁に外側へ突出するように設けられている掛止部１４の上方まで挿入し、掛止部１４の上方で回収袋８の口部８ａを回収袋取付口９にゴムベルト等の締結手段１７により締結する（図４参照。）。
【００２３】
このようにして粉砕機２の排出口３に装着された排出口装着フード１によれば、粉砕機２で粉砕されて排出口３から排出された粉砕物Ａはフード本体６内に入り、フード本体６によって外部への飛散が防止され、回収袋装着口６から回収袋８に回収される。また、フード本体６によって粉砕物Ａから発生する埃や塵の外部への拡散が防止される（図６参照。）。
本例では、接続口部７の内周面に排出口３との間をシールするシール材１４が設けられているので、接続口部７と排出口３との間からの粉砕物Ａの飛散や粉砕物Ａから発生する埃や塵の外部への拡散が防止される。
【００２４】
また、本例では回収袋取付口９の開口端周縁に外側へ突出する掛止部１４が設けられているので、回収袋取付口９への回収袋８の装着に際し、回収袋取付口９に装着する回収袋８の口部８ａを掛止部１４の上方まで挿入し、掛止部１４の上方で回収袋８の口部８ａを回収袋取付口９に締結手段１７により締結することにより、回収した粉砕物Ａの重量等による回収袋取付口９からの回収袋８の外れが効果的に防止される。
【００２５】
また、本例では、フード本体６に排気口１５が設けられているので、粉砕機２の排出口３からフード本体６に送り込まれる空気や、粉砕物Ａを回収する回収袋８から逆流する空気を排気口１５からフード本体６外へ排気することができ、粉砕物Ａの回収袋８への回収が一層容易に且つ確実に行える。
また、排気口１５にはフィルタ１６が取り付けられているので、排気口１５から排気される空気に含まれる埃や塵をフィルタ１６で除去することができ、屋内での粉砕作業における安全面や衛生面の向上が図れる。
【符号の説明】
【００２６】
１  排出口装着フード
２  粉砕機
３  排出口
４  被粉砕物投入口
５  カッター
６  フード本体
７  接続口部
８  回収袋
８ａ  口部
９  回収袋装着口
１０  固定手段
１１、１２  ねじ穴  
１３  蝶ボルト
１４  掛止部
１５  排気口
１６  フィルタ
１７  締結手段
Ａ  粉砕物
【図１】
2015182059.tif 000003
【図２】
2015182059.tif 000004
【図３】
2015182059.tif 000005
【図４】
2015182059.tif 000006
【図５】
2015182059.tif 000007
【図６】
2015182059.tif 000008